(57)【特許請求の範囲】
【請求項１】
少なくとも１個の第二永久磁石に反発するように配置された少なくとも１個の第一永久磁石と、
伝動部の回転に対応して前記少なくとも１個の第一永久磁石を前記少なくとも１個の第二永久磁石に近づけたり遠ざけたり動かして前記２つの永久磁石が互いに離れていくときよりも近づくときの方が正味の反発力が小さくなっている連結部と、
を有する伝動部を回転させる装置であって、
基座と、
第一磁場を形成する前記少なくとも１個の第一永久磁石を含む少なくとも１個の第一磁石装置と、
前記第一磁場と相互作用する第二磁場を形成する前記少なくとも１個の第二永久磁石を含み、環状経路に沿って回転できるように前記伝動部に取り付けられ、前記第二永久磁石の前記環状経路に沿った角度に応じて、前記磁場の相互作用によって第一回転方向又は前記第一回転方向とは反対側の方向に向かうように駆動される少なくとも１個の第二磁石装置と、
を含み、
前記伝動部は前記基座に回転できるように取り付けられているとともに長さ方向の回転軸を有し、
前記連結部は、前記少なくとも１個の第一磁石装置を前記伝動部に結合し、
前記連結部は、
第一末端と第二末端とを有し、前記第一末端は前記少なくとも１個の第一磁石装置に枢設されている環桿と、
前記伝動部とともに回転し、前記回転軸から半径方向に離れた位置で前記環桿の第二末端を枢設する枢軸端とを有し、
前記環桿は、前記第二磁石装置の回転に同期して、前記第一磁石装置を、前記磁場の相互作用によって前記第二磁石装置を回転させようとする力の方向が前記第一回転方向の反対側から前記第一回転方向に変化する位置に対応する、第一作用位置に向かい及び離れるように規制手段によって規制し、
前記第一及び第二磁石のそれぞれはＮ極及びＳ極を有し、前記第一磁石の一方の極は前記回転軸側に位置するように配置されている、
ことを特徴とする伝動部を回転させる装置。
【請求項２】
前記伝動部に同心的に取り付けられ、前記第二磁石装置及び伝動部を回転軸の回りに回転させて運動エネルギーを角モーメントとして貯蔵する円盤を備えることを特徴とする請求項１に記載の伝動部を回転させる装置。
【請求項３】
前記円盤は、前記環桿の第二末端を枢設する枢軸端を備えていることを特徴とする請求項２に記載の伝動部を回転させる装置。
【請求項４】
前記環桿は単一の直線状ロッドであることを特徴とする請求項２に記載の伝動部を回転させる装置。
【請求項５】
前記規制手段は、前記基座に配置された支架及び前記支架に形成された導溝を含み、
前記導溝は前記第一磁石装置が前記第一作用位置に向かい及び離れる方向に延ばされており、
前記連結部は更に連結桿を有し、前記連結桿は前記環桿の第一末端に枢設されているとともに前記導溝を介して前記第一磁石装置と結合されていることを特徴とする請求項１に記載の伝動部を回転させる装置。
【請求項６】
前記連結部は、前記連結桿を周期的に前記環状経路に最も近い位置と前記環状経路に最も遠い位置との間で動かすことを特徴とする請求項５に記載の伝動部を回転させる装置。
【請求項７】
前記連結桿は１本の直線状ロッドからなり、前記導溝、第一磁石及び回転軸は同一平面に存在していることを特徴とする請求項６に記載の伝動部を回転させる装置。
【請求項８】
少なくとも１個の第二永久磁石に反発するように配置された少なくとも１個の第一永久磁石と、
伝動部の回転に対応して前記少なくとも１個の第一永久磁石を前記少なくとも１個の第二永久磁石に近づけたり遠ざけたり動かして前記２つの永久磁石が互いに離れていくときよりも近づくときの方が正味の反発力が小さくなっている連結部と、
を有する伝動部を回転させる装置であって、
基座に配置された支架と、
第一磁場を形成する前記少なくとも１個の第一永久磁石を含む少なくとも１個の第一磁石装置と、
前記第一磁場と相互作用する第二磁場を形成する前記少なくとも１個の第二永久磁石を含み、環状経路に沿って回転できるように前記伝動部に取り付けられ、前記第二永久磁石の経路に沿った角度に応じて、第一回転方向又は前記第一回転方向とは反対側の方向に向かうように前記磁場の相互作用によって駆動される少なくとも１個の第二磁石装置と、
を含み、
前記伝動部は前記支架に回転できるように取り付けられているとともに長さ方向の回転軸を有し、
前記連結部は前記少なくとも１個の第一磁石装置を前記伝動部に結合し、
前記連結部は、
一方の末端が前記少なくとも１個の第一磁石装置に結合されている連結桿と、
第一末端と第二末端とを有し、前記第一末端は前記連結桿の他方の末端に枢設されている環桿と、
前記伝動部とともに回転し、前記回転軸から半径方向に離れた位置で前記環桿の第二末端を枢設する枢軸端とを有し、
前記環桿は、前記第二磁石装置の回転に同期して、前記第一磁石装置を、前記磁場の相互作用によって前記第二磁石装置を回転させようとする力の方向が前記第一回転方向の反対側から前記第一回転方向に変化する位置に対応する、第一作用位置に向かい及び離れるように規制手段によって規制し、
前記第一及び第二磁石のそれぞれはＮ極及びＳ極を有し、前記第一磁石の一方の極は前記回転軸側に位置するように配置され、
前記規制手段は前記支架に形成された導溝を含み、前記導溝は前記第一磁石装置の前記第一作用位置に向かい及び離れる方向に延ばされており、更に、
前記伝動部に同心的に取り付けられ、前記第一磁石装置及び伝動部を回転軸の回りに回転させて運動エネルギーを角モーメントとして貯蔵する円盤と、
前記導溝、第一磁石及び回転軸は同一平面に存在しており、
前記連結部は、前記第一磁石装置を環状経路に最も近い位置と環状経路から最も遠い位置との間で動かす、
ことを特徴とする伝動部を回転させる装置。
【請求項９】
磁気的反発力を変化させることによって伝動部が回転するようにした伝動部を回転させる装置において、
基座と、
前記基座に取り付けられ、第一磁場を形成する少なくとも１個の第一磁石装置と、
前記伝動部に結合され、第二磁場を形成する少なくとも１個の第二磁石装置とを有し、
前記伝動部は前記基座に回転可能に取り付けられ、
前記第二磁石装置は、前記伝動部と共に第一回転方向に周期的に前記第一磁石装置とすれ違うように動くことができ、
前記第一磁場及び第二磁場は互いに相互作用し、前記相互作用による力は、前記第二磁石装置にプラス方向の力を及ぼすときは前記第二磁石装置に対して第一回転方向に向かって運動するように作用し、マイナス方向の力を及ぼすときは前記第二磁石装置に対して前記第一回転方向とは反対側の方向に向かって運動するように作用し、
前記第二磁石装置が回転して第一磁石装置を通り過ぎると前記相互作用による力はマイナス方向からプラス方向に変化し、また、
前記第二磁石装置が前記第一磁石装置から離れるときに、慣性力及びプラス方向の力を伴って、前記第二磁石装置及び伝動部を前記相互作用による力がプラス方向からマイナス方向に変化する位置まで回転させ、更に前記第二磁石装置及び伝動部は前記マイナス方向の力によって止まることなく前記第一回転方向を最初の位置まで戻り、
それによって前記伝動部が前記相互作用による力がプラス方向からマイナス方向に変化する位置及びマイナス方向からプラス方向に変化する位置間を周期的に移動し、前記伝動部が前記マイナス方向の力によって停止することなく第一回転方向へ向かって回転することを特徴とする伝動部を回転させる装置。
【請求項１０】
前記伝動部は前記連結部に接続されており、前記連結部は前記第一磁石装置に接続され、
前記第一磁石装置は前記第二磁石装置に近接及び離間する方向に移動できるようにされていることを特徴とする請求項９に記載の伝動部を回転させる装置。
【請求項１１】
前記基座は、前記基座から平行関係に上方に延びる第一及び第二支架を備え、前記伝動部は前記第一及び第二支架を水平方向に貫通して軸支する回転軸を含み、
前記第一磁石装置は少なくとも１個の第一磁石を備え、前記第二磁石装置は前記回転軸に固定された少なくとも１個の第二磁石を備え、前記第二磁石は前記回転軸から半径方向に延びて前記第一及び第二支架の間に位置しており、
前記連結部は、更に前記第一支架に近接して前記回転軸に同軸状に固定された円盤と、連結桿の第二末端が枢設される第一末端及び前記円盤の中心から離れて枢設される第二末端を有する環桿を備え、
前記少なくとも１個の第一磁石は前記第一支架の導溝を通された前記連結桿の第一末端に取り付けられ、
前記連結桿は、前記円盤が前記回転軸によって回転されたときに、少なくとも１個の第一磁石が少なくとも１個の第二磁石の上部に位置すると共に前記少なくとも１個の第二次磁石に向かい及び離れるように動くことができるように延びている、
ことを特徴とする請求項１１に記載の伝動部を回転させる装置。
【請求項１２】
前記第一及び第二磁石は永久磁石であることを特徴とする請求項１１に記載の伝動部を回転させる装置。
【請求項１３】
前記第一及び第二磁石のそれぞれは第一及び第二磁極を有し、前記第一磁石の一方の極は前記伝動部側に位置するように配置されていることを特徴とする請求項１２に記載の伝動部を回転させる装置。
【発明の詳細な説明】
【０００１】
【発明の属する技術分野】
本発明は外力によって初期回転させた後にエネルギーを取り出すことができる伝動部を回転させる装置に係り、主に第一、第二磁石装置の磁力が相互に作用し合うのと伝動部との構造により、外力によって初期回転させた後にエネルギーを取り出すことができる伝動部を回転させる装置に係る。
【０００２】
【従来の技術】
周知の如く、例えば石油を燃焼させることによってタービンを駆動させ、そのタービンの駆動によって電力を発生させる等、各動力は石油を筆頭に各種エネルギーによって提供されている。
【０００３】
【発明が解決しようとする課題】
しかし各種動力を得るためには上述のような石油の燃焼をはじめとし、空気が汚染されることが深刻な問題となっており、またこれら各種エネルギーは限りあるものであり、地殻中の石化燃料は急速に減少しており、将来尽きてしまう恐れさえある。
一方では無限で得られるエネルギーとして核エネルギーが挙げられるが、これは安全性の問題が深刻であり、また太陽、風エネルギーなど自然を利用したものにおいては、莫大なエネルギーを供給する目的としては不足な部分がある。そこで本発明は、上述のような欠点を解決し、安全でクリーンなエネルギーを供給できる外力によって初期回転させた後にエネルギーを取り出すことができる伝動部を回転させる装置を提供することを目的とする。
【０００４】
【課題を解決するための手段】
本発明の伝動部を回転させる装置は、基座、第一磁場を形成する第一磁石装置、第二磁場を形成する第二磁石装置、伝動部、連結部、等より構成し、該基座上には該第一、第二磁石装置が相対して運動するべく該伝動部を枢設し、該第一、第二磁場が相互に作用してプラス方向の力とマイナス方向の力を交替で発生するようにし、該プラス方向の力で該第一、第二磁石装置の内の１個が該伝動部と連動して第一回転方向に向かって運動するようにし、またそれによって発生する慣性の力を利用し、該マイナス方向の力が該伝動部を第一回転方向とは反対側の方向に運動させようとしても、該第一、第二磁場が相互に作用して該プラス方向の力が該第一、第二磁石装置に作用し続けるようにして該伝動部を第一回転方向に向かって回転させ、該マイナス方向の力の影響を受けても回転が停止しないようにする。
【０００５】
【発明実施の形態】
以下、図１〜図９を用いて本発明の第一実施例について説明する。なお、図１は本発明の第一実施例の斜視図であり、図２、図４、図６及び図８は第一実施例の各作用位置を示す側面図であり、図３、図５、図７及び図９は各作用位置での第一磁石と第二磁石との相互作用の説明図である。図１に示すように、本発明の第一実施例では、主に基座２２、第一磁石装置５０、第二磁石装置３０、伝動部２０、連結部４０より構成される。該基座２２には第一支架２２１、第二支架２２２が互いに平行で該基座２２に対して上向きに延伸して設けられている。該伝動部２０にはまた回転軸２１が横向きで設けられ、該第一支架２２１、第二支架２２２を貫通している。更に該第一支架２２１には縦向きの細長い略長方形を呈した導溝２２３が設けられている。
【０００６】
該第一磁石装置５０には第一磁石５１が設けられ、該第二磁石装置３０には第二磁石３１が該回転軸２１の固定座２１１の中央位置にて固定されている。また図２に示すように、該第二磁石３１は、該第一支架２２１と第二支架２２２の間に位置し、該回転軸２１より放射状に延伸した状態で設置されている。該第一磁石５１、第二磁石３１は回転速度に耐え、また力のモーメントの増大を図るべく、永久磁石で磁性が強いものとし、また低酸化性の材質のものを用いる。
【０００７】
該連結部４０は円盤（フライホィール）４４が該回転軸２１を軸心として該第一支架２２１と隣接して該回転軸２１に固定されている。また、環桿４２は、単一のロッドからなり、その第二末端が中心より離れて枢軸端４１により該円盤４４と連結しており、該環桿４２の第一末端は単一のロッドからなる連結桿４３の第二末端と枢設されている。該第一磁石５１は該連結桿４３の第一末端に連結され、第一支架２２１に形成された該導溝２２３を該連結桿４３が水平を呈するように貫通している。よって、該第一磁石５１は該第二磁石装置３０の上に位置し、該第一磁石５１と該第二磁石３１は、それぞれ第一、第二磁極を有し、互いに相互作用する。そして、前記第一磁石５１の一方の極は前記伝動部２０側に位置するように配置されている。
【０００８】
該第二磁石３１と該伝動部２０の回転軸２１は共に第一回転方向に向かって回転する。図３の第一回転方向（矢印）Ｘに示すように、第二磁石３１は、周期的に該第一磁石５１の近傍を通過する。該第一磁石５１、第二磁石３１の第一及び第二磁極は互いに相互作用する。該第二磁石３１の内の一方の磁極が該第一磁石５１の近傍を通過すると、該第一磁石５１及び該第二磁石３１との相互作用により、マイナス方向の力とプラス方向の力とが交替する。この位置が本発明における第一作用位置に相当する。
【０００９】
該プラス方向の力は第二磁石装置３０が該第一磁石装置５０に対して第一回転方向Ｘに向かって相対運動させるようにするが、該マイナス方向の力は該第二磁石装置３０が該第一磁石装置５０を第一回転方向Ｘとは逆の方向に相対運動させるようにする。図２、図３に示すように、該第二磁石３１の該第一及び第二磁極がａ区及びｄ区に位置していると、第二磁石の第一磁極は該第一磁石５１の第一磁極に隣接する。このとき反発力が該第一磁石５１、第二磁石３１に作用する。該第一磁石５１は該第一回転方向Ｘ及び該第一回転方向Ｘとは逆の方向にも回転できないため、該反発力による回転はプラス方向の力として該第二磁石３１を第一回転方向Ｘに向かって回転させる。このようにして該第二磁石３１が該伝動部２０を連動して回転し、並びに慣性の力が発生する。そして、該第二磁石３１の第一磁極及び第二磁極はｂ区及びｅ区にまで回転する。この状態では、該第二磁石３１の第一磁極はそれぞれ該第一磁石５１の第二及び第一磁極に対向するようになる。この状態では、図４、図５に示すように、第二磁石３１の第一磁極と第一磁石５１の第二磁極との間に引っ張る力が作用するようになり、その後はマイナス方向の力に変わるが、この引っ張る力に対して慣性の力が第二磁石３１に作用するので、合わせてプラス方向の力として該第二磁石３１を第一回転方向Ｘに向けて更に回転させる。このとき該プラス方向の力は、該第二磁石３１を回転させ、該回転軸２１が回転すると共に円盤４４を駆動させ、該環桿４２及び該連結桿４３は該第二磁石３１を図２に示す第一作用位置より上方に移動させ、図４に示すように第二作用位置にまで至らせる。
【００１０】
該第二磁石３１の第一及び第二磁極が更なる回転をして図５のｃ区及びｆ区を通過すると、第二磁石３１の第二磁極が該第一磁石５１の第一磁極に接近する。このとき、該第一磁石５１及び第二磁石３１が相互作用して、第二磁石３１の第二磁極と該第一磁石５１の第一磁極との間に引っ張る力が作用した状態で回転し、該第二磁石３１が第一回転方向Ｘに向かって回転することを防止しようとする。このとき慣性の力との総合としてのプラス方向の力が該第二磁石３１を更に回転させ、該回転軸２１が回転して該円盤４４を駆動させ、該環桿４２及び該連結桿４３は該第二磁石３１を図２に示す第一作用位置より上方向に向かって移動させる。更に第二磁石３１が回転すると、第二磁石３１は回転軸２１から下側を向いた位置にまで移動する。この位置を過ぎると、該第二磁石３１の第二磁極は該第一磁石５１に隣接するので、第二磁石３１の第二磁極と該第一磁石５１の第一磁極との間に引っ張る力が作用して、プラス方向の力の作用を受ける。またこの位置では、該第一磁石５１の第一磁極及び第二磁石３１の第一磁極は互いに離れているのでマイナス方向の力が該第二磁石３１に働くのが減少される。また該第二磁石３１と該回転軸２１の回転による慣性の力が第一回転方向Ｘと同じであり、慣性の力とプラス方向の力を合わせるとマイナス方向の力より大きくなり、該プラス方向の力が持続して該第二磁石３１に作用し、図６及び図７に示した第三作用位置に至るまで回転する。すなわち、該第二磁石３１及び該回転軸２１が第一回転方向Ｘに回転して該マイナス方向の力の影響を受けても回転が止まることがないようにしている。
【００１１】
該回転軸２１が続けて回転運動をするとかなりの慣性の力が発生し、該回転軸２１の回転が該第二磁石３１の第一磁極を該第一磁石５１の下の位置にまで達させる。このとき、図８及び図９に示すように、該第二磁石３１は第一回転方向Ｘに向かって回転して第一磁石５１と対向する対向位置にまで至る。すなわち、該第二磁石３１の第一及び第二磁極は更にｆ区及びｃ区にまで回転して該第一磁石５１の第一磁極に接近する。このとき反発力が該第一磁石５１、第二磁石３１に作用し、該マイナス方向の力に転換され、該第二磁石３１が第一回転方向Ｘに向かって更なる回転をするのを防止しようとする。該第二磁石３１と該第一磁石５１とは、第一磁石５１が図２に示す第一作用位置より上方向に位置しているため、距離を隔てた状態となり、即ち該マイナス方向の力は小さいものとなり、慣性の力とプラス方向の力の総合が該マイナス方向の力より大きくなる。このように該第一磁石５１は周期的に該導溝２２３の下端の該環状経路に最も近い位置から上端の該環状経路に最も遠い位置にまで動くことができる。従って、該導溝２２３、第一磁石５１及び回転軸２１は互いに同一平面に在していることになる。
【００１２】
このように、該第二磁石３１と該回転軸２１の慣性の力により、慣性の力とプラス方向の力の総合がマイナス方向の力より大きくなるようにして、該プラス方向の力が該第二磁石３１に作用するようにする。このとき該プラス方向の力は該第二磁石３１を回転させ、該回転軸２１が回転して該円盤４４を駆動し、該環桿４２及び該連結桿４３は該第一磁石５１を、図６に示すように、下方の第三作用位置に移動させた後に、図８に示す対向位置にまで移動するようにする。該第二磁石３１が対向位置を過ぎると、該第一磁石５１は該連結部４０により該対向位置より図２に示す該第一作用位置にまで移動する。
【００１３】
次に図１０〜図１６を用いて参考例を説明する。なお、図１０は参考例の説明図であり、図１１及び図１４は参考例の作用位置の説明図であり、図１２及び１３は図１１の平面説明図であり、図１５及び図１６は図１４の平面説明図である。図１０に示すように参考例では、基座２２、第一磁石装置５０、第二磁石装置３０、伝動部２０などより構成される。本実施例中では該伝動部２０は第一支架２２１、第二支架２２２、及び第三支架２２３を有し、上向きにそれぞれが平行に延伸している。該伝動部２０は回転軸２１を含み、横向きに延伸して第一支架２２１、第二支架２２２の軸となって接続しており、第一円盤２３、第二円盤２４は該回転軸２１を同軸として該第一支架２２１、第三支架２２３の間に設置されている。該第三支架２２３には該回転軸２１を同軸心として対応して第一固定盤２５が第三支架２２３に隣接して設けられており、また該第一支架２２１には第二固定盤２６が設けられ、該回転軸２１を同軸とした該第一支架２２１に対応して該第一支架２２１の壁面上に固定されている。
【００１４】
該第二磁石装置３０は第一円盤２３の直径両側にて該回転軸２１と同軸方向を呈した二つの第一アーム３０１上より延伸して該第三支架２２３方向に向いた状態で設けられている。また第二円盤２４の直径上下には二つの第二アーム３０１が該回転軸２１と同軸方向を呈して延伸して該第一支架２２１方向に向いた状態で設けられている。即ち該第一アーム３０１、第二アーム３０１は該回転軸２１に対して相互に９０度の間隔を隔てて交錯している状態を呈して分布し、四つの第二磁石３１、３１'はそれぞれ該第一アーム３０１、第二アーム３０１の至端にて接続されている。
【００１５】
引き続き図１０に示すように、該第一磁石装置５０は該第一固定盤２５に二つの第一傾斜アーム５０１が固定されており、該第一傾斜アーム５０１は該回転軸２１と平行状態を呈しており、その内一方の該第一傾斜アーム５０１は上向きに傾斜しており、もう一方は下向に傾斜している。また二つの第二傾斜アーム５０２は該第二固定盤２６に固定されており、第二傾斜アーム５０２は該回転軸２１に対して平行状態を呈しており、該第二傾斜アーム５０２の内の一方は上向きに傾斜し、もう一方の該第二傾斜アーム５０２は即ち下向に傾斜している。該第一磁石装置５０に設けられた第一磁石５１、５１'はそれぞれ該第一傾斜アーム５０１、第二傾斜アーム５０２に連結されている。
【００１６】
該第一磁石５１と該第二磁石３１とが作用する位置にあるとき、図１１、１２、１３の各図に示すように該第一磁石５１と該第二磁石３１の第一、第二磁場が相互に作用して該第二磁石３１に対して推力を形成し、並びに該プラス方向の力が該第二磁石３１を第一回転方向Ｘに向かって回転させる。該第一磁石５１'と該第二磁石３１'の第一、第二磁場は相互に作用しあって引っ張る力を形成し、該第二磁石３１'に作用し、よって該マイナス向きの力が該第二磁石３１に作用して第一回転方向Ｘに向かって回転するのを阻止し、該第一磁石５１'と該第二磁石３１'の第一、第二磁場が距離を隔てていることより、該マイナス方向の力が小さいものとなり、即ち該第一磁石５１と該第二磁石３１に発生する推力（プラス方向の力）が、該第一磁石５１'と該第二磁石３１'に発生する引っ張る力（マイナス方向の力）より大きくなり、該第二磁石３１に作用して第一回転方向Ｘに向かって回転する状態を保持する。
【００１７】
該第二磁石３１、３１'は第一回転方向Ｘに向かって回転し、該伝動部２０を連動して回転し、且つ回転運動を持続し、この持続する回転運動が慣性の力を生み、該第二磁石３１、３１'が該伝動部２０を連動して適当な角度にまで回転させる。図１４に示すように、該第二磁石３１が該第一磁石５１に近づいて該第一磁石５１の対向位置にあるとき、該第一磁石５１は傾斜を呈して該第一磁石５１の第一磁極（５１１）と第二磁極（５１２）とが同時に近づいて該第二磁石３１に作用する。また図１５、図１６に示すように、該第一磁石の第一磁極５１１は該第二磁石３１と退け合い、該第二磁石３１の回転する第一回転方向Ｘと反対にマイナス方向の力を発生し、該第一磁石の第二磁極５１２は該第二磁石３１が引っ張り合う作用を奏し、該第二磁石３１が回転する第一回転方向Ｘと同方向にプラス方向の力を発生する。しかも該第二磁石３１の回転は相当大きな慣性の力を備えており、該第二磁石３１が該第一磁石５１の対向位置にあるとき、該第二磁石３１はプラス方向の力と慣性の力の総合した力がマイナス方向の力より大きくなるのを受け、該第二磁石３１は第一回転方向Ｘに向かって回転することができる。
【００１８】
このとき該第一磁石５１'と該第二磁石３１'の第一、第二磁場は相互に作用し、且つ該第二磁石３１'が第一回転方向Ｘ向きに回転するのにプラス方向に作用し、該第二磁石３１が第一磁石５１と対向位置にあるとき、第二磁石３１、３１'は第一円盤２３、第二円盤２４を連動して第一回転方向Ｘにむかって回転する際に慣性の力が発生し、該第二磁石３１、３１'にプラス方向の力と慣性の力とを総合することにより、該第二磁石３１の発生するマイナス方向の力より大きくなり、よって該第二磁石３１、３１'が第一回転方向Ｘに向かって回転することができる。即ち該第二磁石３１、３１'は該第一円盤２３、第二円盤２４を連動して該回転軸２１を第一回転方向Ｘに向けて回転させ、該第二磁石３１は該第一磁石５１に作用する位置に戻る。このように第一実施例と近似した形態で該プラス方向の力は該第二磁石装置３０に作用し、該回転軸２１が該第一回転方向に向かって回転するようにし、マイナス方向の力に影響されて回転が中止することのないようにしている。
【００１９】
【発明の効果】
本発明によると、プラス方向の力が慣性の力を伴って第二磁石に対して作用し、回転軸が該第一回転方向に向かって回転し、マイナス方向の力を受けて止まることがないようになり、外力によって初期回転させた後に伝動部から環境汚染を引き起こすことなくエネルギーを取り出すことができる、伝動部を回転させる装置が得られる。
【図面の簡単な説明】
【図１】本発明の第一実施例の斜視図である。
【図２】本発明の第一実施例の第一作用位置の側面図である。
【図３】図２の第一磁石装置及び第二磁石装置の相互作用の説明図である。
【図４】本発明の第一実施例の第二作用位置の側面図である。
【図５】図４中の第一、第二磁石の相互作用の説明図である。
【図６】第三作用位置中の第一実施例側面図である。
【図７】図６中の第一、第二磁石の相互作用の説明図である。
【図８】本発明の第二磁石が対向位置にまで回転した際の説明図である。
【図９】図８の相互作用の説明図である。
【図１０】参考例の説明図である。
【図１１】参考例の作用位置の平面説明図である。
【図１２】図１１の第二磁石左側面の平面説明図である。
【図１３】図１１の右側面の平面説明図である。
【図１４】参考例が対向位置にある際の平面説明図である。
【図１５】図１４の左側面の平面説明図である。
【図１６】図１４の右側面の平面説明図である。
【符号の説明】
２０  伝動部
２１  回転軸
２１１  固定座
２２  基座
２２１  第一支架
２２２  第二支架
２２３  導溝
２３  第一円盤
２４  第二円盤
２５  第一固定盤
２６  第二固定盤
３０  第二磁石装置
３０１  第一アーム
３０２  第二アーム
３１、３１'第二磁石
４０  連結部
４１  枢軸端
４２  環桿
４３  連結桿
４４  円盤
５０  第一磁石装置
５０１  第一傾斜アーム
５０２  第二傾斜アーム
５１、５１'第一磁石
５１１  第一磁石の第一磁極
５１２  第一磁石の第二磁極
【図１】
0004122140.tif 000002
【図２】
0004122140.tif 000003
【図３】
0004122140.tif 000004
【図４】
0004122140.tif 000005
【図５】
0004122140.tif 000006
【図６】
0004122140.tif 000007
【図７】
0004122140.tif 000008
【図８】
0004122140.tif 000009
【図９】
0004122140.tif 000010
【図１０】
0004122140.tif 000011
【図１１】
0004122140.tif 000012
【図１２】
0004122140.tif 000013
【図１３】
0004122140.tif 000014
【図１４】
0004122140.tif 000015
【図１５】
0004122140.tif 000016
【図１６】
0004122140.tif 000017